(57)【特許請求の範囲】
【請求項１】
コーナー位置に配置した上下のコーナー連結部材を介して相互に直交配置することによって複数開口面に亘って平面Ｌ字状乃至Ｕ字状に配置した溝ガイドを有する上下のガイドレールと，同幅一対のパネルをそれぞれヒンジ連結することによって伸張折畳み自在とし且つ各非連結側縦框上下端に配置の水平ローラーによって上記上下のガイドレール間に多数上吊支持してそれぞれ単独の開閉と上記コーナー連結部材を介したコーナーの傾斜送りによる複数開口面に亘る移動を自在とした多数のシャッター単位と，同じく上下端に配置の水平ローラーによって複数開口面に亘る移動を自在として上記コーナー連結部材間に上吊支持してコーナー位置の隣接する開口面で直交するコーナー側端部におけるシャッター単位の上記上吊支持した縦框に対して直交２面で対接自在としたコーナー框と，該コーナー框の上下又はその一方をコーナー連結部材に対してロック自在とするロック装置を備え，上記コーナー連結部材に上記上下のガイドレールの溝ガイドに一連に連続して上記水平ローラーの方向転換の走行案内を行う１／４円の回転ガイドを配置し且つ上記ロック装置を，上記コーナー框に内蔵した昇降機構によって昇降自在にして該コーナー框の上下又はその一方から突出自在とするとともにその突出方向先端に突起を配置した昇降部材を備え，上記コーナー連結部材の上記１／４円の回転ガイドの室外側に位置し，該昇降部材の突起に対応して上記上下のコーナー連結部材における対向面の双方又は一方の上記突起を受入れて該コーナー框をコーナー連結部材に対してロックする受入れ保持部を備えて形成してなることを特徴とする横引きシャッター。
【発明の詳細な説明】
【技術分野】
【０００１】
本発明は，例えばサンルームのように複数開口を備えた構築物に好適に設置使用し得るようにした横引きシャッターに関する。
【背景技術】
【０００２】
この種サンルームに用いられる横引きシャッターは，同幅多数のパネルの縦框間又はこれに中間連結枠を介して順次ヒンジ連結することによって蛇腹状の伸張折畳み自在とし，これを各開口面の上下位ガイドレール間に上吊支持することによって開口面毎に開閉するようにしたものとされるのが一般である。
【０００３】
これに対して，サンルームを，エクステリア分野におけるアウトドアライフのステージとして用いるようなケースを想定し，例えば開口面の任意位置のみを単独に開閉することによって該開閉部位で通風や屋外への出入りを行う使用形態や，いずれかの開口面に集中的に折畳むことによって２面乃至３面に亘る複数のフルオープンを行なう使用形態を可能として，その使い勝手を向上する目的で，本発明者らは，１／４円の回転ガイドを有してコーナー位置に配置した上下のコーナー連結部材を介して相互に直交配置することによって複数開口面に亘って平面Ｌ字状乃至Ｕ字状に配置した上下のガイドレールと，同幅一対のパネルをそれぞれヒンジ連結することによって伸張折畳み自在とし且つ各非連結側縦框上下端に配置の水平ローラーによって上記開口枠の上下のガイドレール間に多数上吊支持してそれぞれ単独の開閉と上記コーナー連結部材を介したコーナーの傾斜送りによる複数開口面に亘る移動を自在とした多数のシャッター単位（シャッターユニット，扉ユニット等といってもよい）を備えた横引きシャッターを提案済である。
【０００４】
【特許文献１】特願２００８−８７０６１号
【発明の開示】
【発明が解決しようとする課題】
【０００５】
この場合，任意位置の単独開閉やフルオープンが可能となり，横引きシャッターとしての使い勝手を可及的に向上することが可能となるが，この場合，複数開口面に上下位ガイドレールが直交し，それぞれにシャッター単位を伸張して開口を閉鎖するところ，シャッター単位は複数開口面に亘って移動し得るようにするため，移動を妨げる縦枠をコーナーに配置することができないことになる一方，コーナーに縦枠を配置できない結果，コーナーにおいて隣接する開口面毎の伸張したシャッター単位は，その上吊支持したコーナー側端部に位置する縦框がＬ字状に配置されることになり，その間の密封ができないために，該コーナーの気密性を確保できないことになり，シャッター単位と下位ガイドレール，シャッター単位の縦框間等に気密措置を施すとしても，その意味を喪失する結果となり易い。
【０００６】
本発明はかかる事情に鑑みてなされたもので，その解決課題とするところは，上記複数開口面に亘るシャッター単位の移動を妨げることなく，その閉鎖時に隣接する開口面で直交するシャッター単位のコーナー側端部位置の縦框間を密封し得るようにした横引きシャッターを提供するにある。
【課題を解決するための手段】
【０００７】
上記課題に沿って本発明は，上記任意位置の単独やフルオープンを可能とした上記シャッター単位を用いた横引きシャッターにおけるコーナーに複数開口面に移動自在にして上記コーナー連結部材間に上吊支持した可動のコーナー框を配置し，該コーナー框の直交２面に縦框を対接自在とすることによって，隣接する開口面のシャッター単位の縦框間を，その各見込面外側の入隅状をなすコーナーに位置して該コーナーを見込面に沿って埋めるコーナー框によって閉塞してその密封を可能とするとともにコーナー連結部材に上吊支持したコーナー框を，必要に応じてコーナー連結部材に可及的簡易且つ確実にロックし得るようにして，その揺動を防止し，またシャッター単位の対接とその維持を可及的に安定且つ確実になし得るものとしたものであって，即ち請求項１に記載の発明を，コーナー位置に配置した上下のコーナー連結部材を介して相互に直交配置することによって複数開口面に亘って平面Ｌ字状乃至Ｕ字状に配置した溝ガイドを有する上下のガイドレールと，同幅一対のパネルをそれぞれヒンジ連結することによって伸張折畳み自在とし且つ各非連結側縦框上下端に配置の水平ローラーによって上記上下のガイドレール間に多数上吊支持してそれぞれ単独の開閉と上記コーナー連結部材を介したコーナーの傾斜送りによる複数開口面に亘る移動を自在とした多数のシャッター単位と，同じく上下端に配置の水平ローラーによって複数開口面に亘る移動を自在として上記コーナー連結部材間に上吊支持してコーナー位置の隣接する開口面で直交するコーナー側端部におけるシャッター単位の上記上吊支持した縦框に対して直交２面で対接自在としたコーナー框と，該コーナー框の上下又はその一方をコーナー連結部材に対してロック自在とするロック装置を備え，上記コーナー連結部材に上記上下のガイドレールの溝ガイドに一連に連続して上記水平ローラーの方向転換の走行案内を行う１／４円の回転ガイドを配置し且つ上記ロック装置を，上記コーナー框に内蔵した昇降機構によって昇降自在にして該コーナー框の上下又はその一方から突出自在とするとともにその突出方向先端に突起を配置した昇降部材を備え，上記コーナー連結部材の上記１／４円の回転ガイドの室外側に位置し，該昇降部材の突起に対応して上記上下のコーナー連結部材における対向面の双方又は一方の上記突起を受入れて該コーナー框をコーナー連結部材に対してロックする受入れ保持部を備えて形成してなることを特徴とする横引きシャッターとしたものである。
【０００８】
本発明はこれを発明の要旨として，上記課題解決の手段としたものである。
【発明の効果】
【０００９】
上記任意位置の単独やフルオープンを可能とした上記シャッター単位を用いた横引きシャッターにおけるコーナーに複数開口面に移動自在にして上記コーナー連結部材間に上吊支持した可動のコーナー框を配置し，該コーナー框の直交２面に縦框を対接自在とすることによって，隣接する開口面のシャッター単位の縦框間を，その各見込面外側の入隅状をなすコーナーに位置して該コーナーを見込面に沿って埋めるコーナー框によって閉塞することにより，上記複数開口面に亘るシャッター単位の移動を妨げることなく，その閉鎖時にコーナー側端部位置の縦框間を密封し得るようにするとともにコーナー連結部材に上吊支持したコーナー框を，必要に応じてコーナー連結部材に可及的簡易且つ確実にロックし得るようにして，その揺動を防止し，またシャッター単位の対接とその維持を可及的に安定且つ確実になし得るものとした横引きシャッターを提供することができる。
【発明を実施するための最良の形態】
【００１０】
以下図面の例に従って本発明を更に具体的に説明すれば，Ａは，建物開口部前に配置したサンルーム８の複数開口面を塞ぐように配置した，例えばアルミ押出材を用いて形成したアルミ製の横引シャッターであり，該横引シャッターＡは，上下のガイドレール１と，多数のシャッター単位２と，コーナー框５と，該コーナー框５のロック装置６を備えたものとしてあり，上下のガイドレール１は，コーナー位置に配置した上下のコーナー連結部材１３を介して相互に直交配置することによって複数開口面に亘って平面Ｌ字状乃至Ｕ字状に配置したものとしてあり，シャッター単位２は，同幅一対のパネル２１をそれぞれヒンジ２６連結することによって伸張折畳み自在とし且つ各非連結側縦框２４上下端に配置の水平ローラー２７によって上記上下のガイドレール１間に多数上吊支持してそれぞれ単独の開閉と上記コーナー連結部材１３を介したコーナーの傾斜送りによる複数開口面に亘る移動を自在としたものとしてあり，コーナー框５は，同じく上下端に配置の水平ローラー２７によって複数開口面に亘る移動を自在として上記コーナー連結部材１３間に上吊支持してコーナー位置の隣接する開口面で直交するコーナー側端部におけるシャッター単位２の上記上吊支持した縦框２４に対して直交２面で対接自在としたものとしてあり，また，ロック装置６は，該コーナー框の上下又はその一方をコーナー連結部材に対してロック自在としたものとしてある。
【００１１】
本例にあって上下のガイドレール１は平面Ｕ字状の３面の開口面に配置してあり，該ガイドレール１は，サンルーム８の建物開口部を除く開口面に，その正面と側面の各上下に対向する上位ガイドレール１ａと下位ガイドレール１ｂを対とするように，該サンルーム８の屋根８２の構造材とデッキ材等の床材に固定してあり，このとき上記正面と側面の各ガイドレール１ａ，１ｂは相互に直交するように９０度の角度に配置し，上記コーナー連結部材１３を介して相互に連結してある。
【００１２】
上下のガイドレール１は，それぞれ溝ガイド１１を一体成形してあり，該溝ガイド１１は，上記水平ローラー２７を長手方向に走行案内するように上位ガイドレール１ａにおいて下向きの，下位ガイドレール１ｂにおいて上向きの開口を有するそれぞれ断面コ字状をなすものとしてある。
【００１３】
上下のコーナー連結部材１３は，上記コーナー連結部材１３に上記上下のガイドレール１の溝ガイド１１に一連に連続して上記水平ローラー２７の方向転換の走行案内を行う１／４円の回転ガイド１５を配置してある。該コーナー連結部材１３は，例えばアルミ鋳物乃至合成樹脂製にして平面方形乃至室外側隅部を切落し状とした平面５角形をなすように単一又は複数部材からなるブロック状にして上記１／４円の回転ガイド１５を配置することによって，上記ガイドレール１の溝ガイド１１を一連に連続して水平ローラーの方向転換の走行案内を行なうものとしてある。本例にあって該コーナー連結部材１３は，例えば１／４円の回転ガイド１５を室外側で画するように先端を１／４円の円弧面乃至円弧縁として室内側に向けて張出突出した張出突片１４を有する室外側一方部材１３ａと，該回転ガイド１５を室内側で画するように先端を同じく１／４円の円弧面乃至円弧縁又は１／４円の室内側長さに応じた傾斜面乃至傾斜縁として同様に室外側に向けて幅狭に張出突出した張出突片１４を有する室内側他方部材１３ｂにより，これらにネジ止め等の固定措置を施すことによって形成した上下にそれぞれ２部材構成としたものとしてあり，本例の該コーナー連結部材１３は，例えば上位において平面方形，下位において上記平面５角形を呈するものとしてある。このとき本例にあってその各室外側一方部材１３ａには，その張出突片１４の室外側に部分的に凹陥する受け穴を配置し，該受け穴を後述のロック装置６における昇降部材６３，６５の突起６６を受入れる受入れ保持部１６としてある。
【００１４】
シャッター単位２の各パネル２１は，それぞれ上下の横框２２と左右の縦框２４を，該縦框２４の上下端間に横框２２を突合せ架設するように框組みし，該框組みの開口内にガラス，樹脂等の透明，半透明乃至不透明の板材を嵌着固定した同幅にして，全てのシャッター単位２に共通のものとしてある。該パネル２１は，その隣接する縦框２４を長手方向上下複数箇所でヒンジ２６連結することによって，それぞれ屈伸自在として上記伸張折畳みを行うシャッター単位２をなすものとしてあり，このとき該ヒンジ２６は，例えばヒンジ金物を用いて，そのヒンジプレートを隣接する縦框２４の対向面に固定することによって，該ヒンジ金物を縦框２４間の長手方向に２ヶ所介装するように配置するとともに該ヒンジ金物によってパネル２１を各開口面の室内側，即ちサンルーム８の内側に折畳むようにしてある。
【００１５】
このときシャッター単位２は，その上記上吊支持した縦框２４の見付面の一方に押圧突起３１を，他方に該押圧突起３１の押圧によって該縦框２４に配置したロックバー３６を下位ガイドレール１ｂの上面に弾発的に圧接することによって折畳み状態のシャッター単位２を下位ガイドレール１ｂにロックして，折畳んだシャッター単位２が風圧等の外力によって揺動するのを防止して，定位置に保持するようにしてある。本例にあって該ロックを行うロック装置３は，上記押圧突起３１配置と折畳み状態で対面する縦框２４の見付面に透設した透孔に上記押圧突起３１を受止めするように先端を突出して配置した回動部材３２と，該縦框２４内に配置した昇降ガイド部材３３と，該昇降ガイド部材３３に配置した傾斜ガイド溝にピン係合して上記押圧突起３１の押圧による回動部材３２の傾斜回動によって該昇降ガイド部材３３に上方に付勢して上下動自在に配置し且つ該見付面幅方向に一体のロックバーガイド３を有する昇降部材３４と，該ロックバーガイド３５に下方に付勢して上端部分を保持し且つ下端にクッション材３７を有するロックバー３６とを備えたものとしてあり，シャッター単位２を折畳んで見付面が対面する上記上吊支持側の縦框２４を，例えば指先で圧接して，上記押圧突起３１による回動部材３２の押圧を行うことによってロックバー３６を昇降部材３４の付勢力に抗して降下して該ロックバー３６をその付勢力によって弾発的にそのクッション材３７を下位ガイドレール１ｂに圧接する一方，シャッター単位２の伸張に際して該縦框２４を拡開するように見付面を離隔することによって該昇降部材３４の付勢力によって定位置に復帰するようにして，縦框２４の圧接離隔動作によってそのロックとその解除をなし得るようにしてある。
【００１６】
また本例のシャッター単位２は，その縦框２４にそれぞれ長手方向略全長の気密材２５を配置して，該シャッター単位２の閉鎖時に，ヒンジ２６連結した縦框２４同士，隣接するシャッター単位２の上吊支持した縦框２４同士間で気密性を確保するようにしてあり，更に下端に各パネル２１に昇降自在に配置した昇降枠４２下端の気密材４３を下位ガイドレール１ｂの上面に対接することによって該各パネル２１と下位ガイドレール１ｂ間で気密性を確保する気密装置４を備えたものとしてある。本例にあって該気密装置４における昇降枠４２を昇降する昇降機構は，各パネル２１の下位横框２２を室内側で切欠いて該切欠部と縦框２４下端に及ぶように配置したパネル２１幅と同長のハウジング４１に昇降枠４２を収容するとともにハウジング４１の両端部に固定した両端の小口キャップ４４からパネル２１幅方向側方に向けて部分的に突出するように押圧部材４５を配置するともに該押圧部材４５に連結したスライド杆４６間を，圧縮バネ４７で側方に付勢した連結部材を介したて長寸の板バネ４８で連結し，該板バネ４８の長手方向２ヶ所の吊持ち部材４９を上記昇降枠４２に嵌合乃至遊嵌配置して該昇降枠４２を保持して構成したものとしてあり，これによってシャッター単位２の伸張による押圧部材４５相互の押圧により該押圧部材４５を圧縮バネ４７の付勢力に抗してハウジング４１内に没入して板バネ４８を下方に押下げて昇降枠４２を降下し，逆にシャッター単位２の折畳みや隣接するシャッター単位２の離隔による押圧部材４５の押圧解除によって上記付勢力を受けて昇降枠４２を上昇して板バネ４８を定位置に復帰するようにして，シャッター単位２の開閉に連動して気密性の確保をなし得るようにしてある。
【００１７】
シャッター単位２の各非連結側縦框２４上下端の水平ローラー２７は，該縦框２４の上下にそれぞれ突出して配置してあり，本例にあって該水平ローラー２７は，それぞれ上下異径にして，その一方を径大にして断面矩形とし，他方を径小にして円筒形とした水平配置各一対のものとし，該水平ローラー２７はそれぞれ縦框２４の中空部上下端に嵌合固定した取付金具に起立配置した支軸に軸支してその各突出した配置を行ってあり，このとき上下異径のうち径大の水平ローラー２７ａは，各支軸の上下各先端に，径小の水平ローラー２７ｂはその内側，即ち取付金具側で各支軸を被嵌するようにそれぞれ上下２段に配置したものとしてある。
【００１８】
水平ローラー２７を非連結側縦框２４の上下端に配置した各シャッター単位２は，上下のガイドレール１における溝ガイド１１に上記径大の水平ローラー２７ａを転動自在に配置し，上向き又は下向きの開口に径小の水平ローラー２７ｂをそれぞれ転動自在に配置して，該ガイドレール１に対する上記上吊支持を行ってあり，これによって該シャッター単位２は，その水平ローラー２７がコーナー連結部材１３における１／４円の回転ガイド１５を通過し得るから，開口面での伸張折畳による開閉やその移動はもとより，複数開口面に亘る移動が可能となる。即ち，本例にあってコーナー連結部材１３の室外側にサンルーム８の支柱８１が位置するので，該支柱８１を回避するように，例えばシャッター単位２を伸張した状態として，これを手送りによってコーナーに向けて移動すると，図５に示すように，移動方向の縦框２４に配置した先端側の水平ローラー２７が，コーナー連結部材１３の回転ガイド１５によって１／４円の方向転換を行って，これに直交する他方のガイドレールの溝ガイド１１に至り，該シャッター単位２はその直交するガイドレール１に両端を上吊支持された状態で室内側に傾斜架設状となって進行して，後続方向の縦框２４に配置した後端側の水平ローラー２７が，同じくコーナー連結部材１３の回転ガイド１５によって１／４円の方向転換を行なうことによって，該シャッター単位２はコーナーを通過するに至る。このとき同幅一対のパネル２１におけるヒンジ２６連結を，縦框２４を幾分離隔した状態としてヒンジ金物によって行なう等して，その回動範囲を１／２円強の角度になし得るようにすれば，上記先端側の水平ローラー２７がコーナー連結部材１３に至って，ヒンジ２６の連結部位には外側，即ち室外側に反るように屈曲しようとする反力が作用するところ，該シャッター単位２はその室外側への屈曲ができないから，該反力による屈曲が規制されて，上記傾斜架設状の伸張状態を維持したスムーズな通過を行うことができる。
【００１９】
このときガイドレール１は，シャッター単位２と同じく水平ローラー５１によってコーナー連結部材１３間に上吊支持した上記コーナー框５を備えていることによって，該コーナー框５は，該コーナー連結部材１３から同じく複数の開口面に亘る移動が自在となるとともに定位置のコーナー連結部材１３位置に配置することによって，隣接する開口面に位置して伸張閉鎖した状態で，そのコーナーで直交する各シャッター単位２の縦框２４に対して直交２面で対接して，該コーナーを上下方向に塞いで，その気密性を確保するともにシャッター単位２の揺動を防止することが可能となるとともに，本例にあっては上記各縦框２４にその長手方向全長の気密材２５を備えていることにより直交２面の対接が該気密材２５を介してなされ，またシャッター単位２の閉鎖に伴ってこれに連動して各パネル２１の昇降枠４２が降下し，その下端の気密材４３が下位ガイドレール１ｂの上面に対接することと相俟って，横引きシャッターＡは，その気密性を高度に備えたものとすることができる。
【００２０】
コーナー框５は，同じくアルミ押出材によって上記コーナー連結部材１３の平面形状と同様な断面形状，即ち断面方形乃至断面５角形，本例にあっては断面５角形に形成したものとしてあり，その上下端にシャッター単位２と同高さに，例えばシャッター単位２におけると同様に水平配置各一対の径大の水平ローラー５１ａと径小の水平ローラー５１ｂの一対による水平ローラー５１を配置したものとしてある。
【００２１】
このとき本例にあってコーナー框５は，その上下又はその一方をコーナー連結部材１３に対してロック自在とするロック装置６を備えてあり，これによって該コーナー框５をコーナー連結部材１３にロックすることによってその揺動を防止するとともにシャッター単位２の対接とその維持を可及的に安定且つ確実に行うようにしてある。該ロック装置６は，これを，上記コーナー框５に内蔵した昇降機構によって昇降自在にして該コーナー框５の上下又はその一方から突出自在とするとともにその突出方向先端に突起６６を配置した昇降部材６３，６５を備え，上記コーナー連結部材１３の上記１／４円の回転ガイド１５の室外側に位置し，該昇降部材６３，６５の突起６６に対応して上記上下のコーナー連結部材１３における対向面の双方又は一方の上記突起６６を受入れて該コーナー框５をコーナー連結部材１３に対してロックする受入れ保持部１６を備えて形成したものとしてある。
【００２２】
昇降機構は，コーナー框５の室内面，本例にあっては傾斜面に室内側に向けて配置したスライド摘み６１と，該スライド摘み６１に連結してその上下動に応じてコーナー框５内を昇降する昇降バー６２と，該昇降バー６２の下端に固定して下向きバー状の突起６６を有するブロック状の下位昇降部材６５と，上記コーナー框５に回動自在に軸支した中間リンクバー６４ａの一端と上記昇降バー６２の上端に回動自在に軸支した下位リンクバー６４ｂ及び上記中間リンクバー６４ａの他端に同じく回動自在に軸支した上位リンクバー６４ｃによるリンク装置６４と，該リンク装置６４の上位リンクバー６４ｃに固定した上向きバー状の突起６６を有する同じくブロック状の上位昇降部材６３を備え，上記スライド摘み６１を下向きにスライドすることによって，それぞれコーナー框５の中空部内面をガイドとして，上位昇降部材６３を上方に，下位昇降部材６５を下方に向けてそれぞれ移動して，その各突起６６をコーナー框５から上下に突出し，またスライド摘み６１を上向きにスライドすることによって，上位昇降部材６３を下方に，下位昇降部材６５を上方に向けてそれぞれ移動して，その各突起６６をコーナー框５内に収容するようにしてある。
【００２３】
このとき上記上下のコーナー連結部材１３は，上記昇降部材６３，６５の突起６６を受入れる受入れ保持部１６として，上記受け穴を配置してあるので，スライド摘み６１の操作，本例にあっては下向きスライドによって，上記昇降部材６３，６５の各突起６６を，該受入れ保持部１６に挿入することによってコーナー框５の上下を，上下のコーナー連結部材１３に対してそれぞれ落し錠の如くにロックし，スライド摘み６１の逆操作，本例にあっては上向きスライドによって，各突起６６を受入れ保持部１６から脱出することによって該ロックを解除するようにしてある。
【００２４】
このようにコーナー框５を備えた横引きシャッターＡは，その上記シャッター単位２の移動に際して，例えば先行して折畳んだ開口面のガイドレール１に該コーナー框５を移動し，隣接する開口面のシャッター単位２を上記手送りによって該開口面に移動して折畳むようにすれば，そのフルオープンが可能となり，また逆に隣接する開口面のシャッター単位２を手送りした後にコーナー連結部材１３位置に該コーナー框５を戻してロックを行なえば，その閉鎖ができるとともに閉鎖時の上記気密性の確保を行なうことができる。
【００２５】
図中１２は下位ガイドレール１ｂの上面に配置した上記気密装置４における気密材４３を受入れる気密材受溝，２３は上位ガイドレール１ａ又はその気密材と対接するようにシャッター単位２の上位横框２２に配置した気密材，４２ａは気密装置４の昇降枠４２を支持して小口キャップ４４の上下の長孔によって該昇降枠４２をハウジング４１端部で案内する長手方向端部に配置したガイドブロックをそれぞれ示す。
【００２６】
図示した例は以上のとおりとしたが，ロック装置をコーナー框の上下にそれぞれ配置した落し錠とすること，ロック装置に昇降機構を用いるとき，これをグレモン機構によるものとすること，コーナー連結部材を一体成形することによって一体の部材として形成すること等を含めて，本発明の実施に当って，ガイドレール，コーナー連結部材，シャッター単位，そのパネル，ヒンジ，水平ローラー，コーナー連結部材，必要に応じて用いるロック装置，その昇降機構等の各具体的形状，材質，構造，用途，配置形態，これらの関係，これらに対する付加等は，上記発明の要旨に反しない限り様々な形態のものとすることができる。
【図面の簡単な説明】
【００２７】
【図１】サンルームの正面図である。
【図２】サンルームの側面図である。
【図３】ガイドレールの平面図である。
【図４】シャッター単位と上下のガイドレールの関係を示す縦断面図である。
【図５】シャッター単位のコーナー通過の状態を示す横断面図である。
【図６】ロック装置のロック解除状態を示す縦断面図である。
【図７】ロック装置のロック状態を示す縦断面図である。
【図８】気密装置の作動状態を示すシャッター単位の縦断面図である。
【図９】気密装置の非作動状態を示すシャッター単位の拡大縦断面図である。
【図１０】気密装置の作動状態を示すシャッター単位の拡大縦断面図である。
【図１１】気密装置の非作動状態を示すシャッター単位の拡大縦断面図である。
【図１２】コーナー框を外した状態のガイドレールにおけるコーナー部分の平面図である。
【図１３】コーナー框とシャッター単位の関係を示す平面図である。
【図１４】コーナー框の室内側の正面図である。
【図１５】コーナー框のロック状態を示す縦断面図である。
【図１６】コーナー框のロック解除状態を示す縦断面図である。
【符号の説明】
【００２８】
Ａ  横引シャッター
１  ガイドレール
１ａ  上位ガイドレール
１ｂ  下位ガイドレール
１１  溝ガイド
１２  気密材受溝
１３  コーナー連結部材
１３ａ  室外側一方部材
１３ｂ  室内側他方部材
１４  張出突片
１５  回転ガイド
１６  受入れ保持部
２  シャッター単位
２１  パネル
２２  横框
２３  気密材
２４  縦框
２５  気密材
２６  ヒンジ
２７  水平ローラー
２７ａ  径大の水平ローラー
２７ｂ  径小の水平ローラー
３  ロック装置
３１  押圧突起
３２  回動部材
３３  昇降ガイド部材
３４  昇降部材
３５  ロックバーガイド
３６  ロックバー
３７  クッション材
４  気密装置
４１  ハウジング
４２  昇降枠
４２ａ  ガイドブロック
４３  気密材
４４  小口キャップ
４５  押圧部材
４６  スライド杆
４７  圧縮バネ
４８  板バネ
４９  吊持ち部材
５  コーナー框
５１  水平ローラー
５１ａ  径大の水平ローラー
５１ｂ  径小の水平ローラー
６  ロック装置
６１  スライド摘み
６２  昇降バー
６３  上位昇降部材
６４  リンク装置
６４ａ  中間リンクバー
６４ｂ  下位リンクバー
６４ｃ  上位リンクバー
６５  下位昇降部材
６６  突起
７  施錠装置
８  サンルーム
８１  支柱
８２  屋根
【図１】
0005155005.tif 000002
【図２】
0005155005.tif 000003
【図３】
0005155005.tif 000004
【図４】
0005155005.tif 000005
【図５】
0005155005.tif 000006
【図６】
0005155005.tif 000007
【図７】
0005155005.tif 000008
【図８】
0005155005.tif 000009
【図９】
0005155005.tif 000010
【図１０】
0005155005.tif 000011
【図１１】
0005155005.tif 000012
【図１２】
0005155005.tif 000013
【図１３】
0005155005.tif 000014
【図１４】
0005155005.tif 000015
【図１５】
0005155005.tif 000016
【図１６】
0005155005.tif 000017